(57)【要約】【課題】  表示機能と照明機能と持ち合わせる多点光源ユニットおよび照明装置を提供することを課題とする。【解決手段】  被照射面７を照明する多数の光源２０を備えた多点光源ユニットにおいて、前記光源２０は、所定の発光量を維持すると共に情報を表示することができるＬＥＤから構成する。【選択図】  図１
2006286435.tif 000002
【特許請求の範囲】
【請求項１】
被照射面を照明する多数の光源を備えた多点光源ユニットにおいて、前記光源は、所定の発光量を維持すると共に情報を表示する構成であることを特徴とする多点光源ユニット。
【請求項２】
前記光源は、波長領域の相違する複数種類のＬＥＤからなり、特定のＬＥＤが情報を表示する請求項１に記載の多点光源ユニット。
【請求項３】
前記複数種類のＬＥＤは、Ｒ、ＧおよびＢの波長領域の光をそれぞれ照射し、ＧのＬＥＤで前記情報を表示する請求項２に記載の多点光源ユニット。
【請求項４】
前記光源は、波長領域の相違する複数種類のＬＥＤからなり、ＬＥＤは任意の情報が遠隔操作により表示可能に構成されている請求項１に記載の多点光源ユニット。
【請求項５】
前記請求項４に記載の多点光源ユニットを照明部として備え、多点光源ユニットの各ＬＥＤの点灯、消灯を制御するコントローラが設けられたことを特徴とする照明装置。
【発明の詳細な説明】
【技術分野】
【０００１】
本発明は、建物その他の建造物等において各種の情報表示や照明を行う多点光源ユニットおよび照明装置に関する。
【背景技術】
【０００２】
従来の照明装置として白熱ランプや蛍光ランプが使用されていたが、近年では、長寿命で且つ小型軽量の発光ダイオード（ＬＥＤ）を光源とする照明装置が、各種の分野で使用されるようになった（例えば、特許文献１参照）。かかる照明装置は、基板上に多数個のＬＥＤを所定の総合発光量が得られるように、矩形状または円形状等の情報力のない形状に集積配置したもので、専ら照明専用の単機能のものであった。
【０００３】
また、劇場やホールその他の建築物や建造物において各種の案内や方向表示等の目的として様々な表示部材が施され、その表示部材に照明光を当てるための目的で各種の照明装置が使用されていた。
【特許文献１】特開２００１−３５２３９号公報
【発明の開示】
【発明が解決しようとする課題】
【０００４】
従来の照明装置は、被照射物（面）を所定の明るさに照明する機能か、もしくは、表示部材に照明光を当てる機能の何れかの機能しか備えていないため、両方の機能が必要な場所では、それぞれの機能を有する照明装置が必要となる。
【０００５】
本発明は、表示機能と照明機能と持ち合わせる多点光源ユニットおよび照明装置を提供することを課題とする。
【課題を解決するための手段】
【０００６】
本発明は、被照射面を照明する多数の光源を備えた多点光源ユニットにおいて、前記光源は、所定の発光量を維持すると共に情報を表示する構成である。
【０００７】
そして、光源は、従来と同様に所定の発光量を維持するため、被照射面を支障なく十分照らすことができる。しかも、所望の情報を多数の光源により表示させるため、表示部材に照明光を当てる照明装置が不要となり、且つ自由な形状に光源をデザインできる。
【０００８】
前記本発明の多点光源ユニットの光源は、波長領域の相違する複数種類のＬＥＤからなり、特定のＬＥＤが情報を表示することにある。
【０００９】
前記本発明の多点光源ユニットの光源は、前記複数種類のＬＥＤは、Ｒ、ＧおよびＢの波長領域の光をそれぞれ照射し、ＧのＬＥＤで前記情報を表示する。
【００１０】
前記本発明の多点光源ユニットの光源は、波長領域の相違する複数種類のＬＥＤからなり、ＬＥＤは任意の情報が遠隔操作により表示可能に構成されている。
【００１１】
本発明の照明装置は、前記多点光源ユニットを照明部として備え、多点光源ユニットの各ＬＥＤの点灯、消灯を制御するコントローラが設けられたことにある。かかる照明装置は、ＬＥＤが任意の情報が遠隔操作により表示可能に構成されているので、通常は白熱ランプや蛍光ランプ等と同様に使用し、照明装置と離れた場所から必要な情報を送ることが可能となる。なお、コントローラが各ＬＥＤの点灯、消灯を制御するとは、コントローラが任意のＬＥＤの点灯および消灯の両動作を制御する場合だけでなく、任意のＬＥＤの点灯のみ、または消灯のみを制御する場合も含む。
【発明の効果】
【００１２】
本発明は、表示機能と照明機能と持ち合わせることにより、自由な形状に光源をデザインできる。
【発明を実施するための最良の形態】
【００１３】
本発明の実施の形態について、図面を参照しながら説明する。図１および図２は、本発明に係る一実施の形態を示し、図１は、建物内を示す斜視図、図２は多点光源ユニットの正面図である。本実施の形態は、図１に示すように多点光源ユニット２を備えた照明装置１が建物内の所定面（例えば、通路の天井面）６に備え付けられている。かかる光源ユニット２は、多数の光源としてのＬＥＤ２０と、ＬＥＤ２０が配置される基板５とからなる。
【００１４】
ＬＥＤ２０は、波長領域の相違する例えば３種類のものが採用されている。具体的には、第１ＬＥＤ２０ａはＧ（緑）の波長領域の光を照射する。第２ＬＥＤ２０ｂはＲ（赤）の波長領域の光を照射する。第３ＬＥＤ２０ｃはＢ（青）の波長領域の光を照射する。また、特定色を発光するＬＥＤにより、例えば文字や絵柄等の識別マークからなる情報Ｍが表示されるようになっている。この情報Ｍは、例えば、図２に示すように、非常時の避難方向を表示する矢印を形成している。
【００１５】
この情報Ｍを表示する手段として、同図に仮想線で示す矢印の範囲内にＧの第１ＬＥＤ２０ａが配置されている。そして、第１ＬＥＤ２０ａの範囲以外の領域には、Ｒの第２ＬＥＤ２０ｂおよびＢの第３ＬＥＤ２０ｃが規則的にまたは不規則的に配置されている。各第１〜第３ＬＥＤ２０ａ、２０ｂ、２０ｃの３波長（３原色）の照射光を外部に照射することで、各照射光は混光されて蛍光灯等と同じように全体の照射光を白色化できる。
【００１６】
その結果、被照射面となる床面７および両側面８は、各第１〜第３ＬＥＤ２０ａ、２０ｂ、２０ｃと所定の距離を有するため、安定した自然な発光量の照明が可能となると共に、常時情報Ｍを表示しておくことができる。情報Ｍを表示する特定の一色としては、人間の目にとって一番感度の良い（目視し易い）緑色のＬＥＤ２０ａを採用しているので、非常時に目的地まで迅速且つ確実に誘導できる。かかる照明装置１は、天井面６に間隔をおいて設けることができ、情報Ｍの向きは避難方向に沿って表示される。
【００１７】
前記光源ユニット２は、各第１〜第３ＬＥＤ２０ａ、２０ｂ、２０ｃの発光色が一定であったが、１個でＲＧＢの光を択一的に発するタイプのＬＥＤ（３ｉｎ１タイプ）を採用することもできる。また、情報Ｍも矢印の形状に限定されるものではない。かかる３ｉｎ１タイプのＬＥＤ２０を採用した場合には、同一タイプのＬＥＤ２０が、基板５に均等に配置されることになる。そして、外部からのプログラムや調光信号により、自由な形状の情報表示ができ、かつ、照明装置全体として白色光の色温度を自由に設定できる。例えば、通常時には、ＲＧＢの個数が同等になるように各ＬＥＤ２０を発光させて、全体の照射光を白色化する。このとき、情報Ｍは表示されていない。そして、非常時に、所定のＬＥＤ２０の照射光を変化させて、前記のように矢印の非常用情報Ｍを表示する。
【００１８】
また、通常時には、文字や絵柄等の情報Ｍを表示し、非常時に矢印の情報Ｍを表示することも可能である。しかも、情報Ｍを点灯表示したり、変更表示したり等する場合には、必ずしも３ｉｎ１タイプのＬＥＤ２０を採用しなくても、第１〜第３ＬＥＤ２０ａ、２０ｂ、２０ｃを均等に配置しておいて、所定のＬＥＤ２０ａ、２０ｂ、２０ｃを発光させるようにしてもよい。
【００１９】
また、Ｒ、Ｇ、Ｂにそれぞれ発光するＬＥＤを多数個集積する以外に、ＲをＯ（橙）とＹ（黄）とに分け、ＯＹＧＢの４波長のＬＥＤからの照射光を混色して白色化することもできる。また、光源ユニット２はＯＹＧＢまたは白色のＬＥＤのみから構成することも可能である。
【００２０】
図３および図４に本発明の他の実施の形態を示す。本実施の形態は、住宅内、天井直付照明や学習スタンドにも採用できる。例えば、学習スタンド３０は、多点光源ユニット２を備えた照明部３１と、多点光源ユニット２の任意のＬＥＤ２０を点灯、消灯制御するコントローラ３２を備えた本体３３から構成されている。このコントローラ３２に離れた場所から無線方式や通信線等を介して信号を送信することで、照明部３１に所望のメッセージを表示させることができる。
【００２１】
例えば、図４に示すように、単数または複数の勉強部屋等の部屋４０の机４１に学習スタンド３０が配置されている。リビング等の他の部屋４３には、受信装置４４が設置されている。受信装置４４は室内配線４５を介して各学習スタンド３０のコントローラ３２に接続される。受信装置４４は、送信装置としてのリモコン４６からの信号により、任意の情報を受信装置４４に送信する。具体的には、各部屋４０で子供が学習スタンド３０を使用している場合に、別の部屋４２から親がリモコン４６を操作して食事等の情報（メッセージ）Ｍを多点光源ユニット２に表示させる。
【００２２】
リモコン４６により、全ての部屋４０に同じメッセージを表示したり、あるいは、所定の部屋４０のみにメッセージを表示したり、各部屋４０ごとに相違するメッセージを表示する。かかる学習スタンド３０の多点光源ユニット２は、照射面となる机４１の表面は、蛍光灯と同様に白色光が照射され、学習に支障となることなく、学習中に所定の情報を伝達できる。
【００２３】
本発明の照明装置は、学習スタンドに限らず、各部屋の天井に直付けされた室内照明装置や、遊び心のある形状に多点光源を配置したシーリングライト、多点光源を文字で配置してビル内の各部屋名を表示したベースライトであってもよい。かかる室内照明装置の場合には、発光させるＬＥＤを選択することにより、白色の照明以外に任意の色の照明を所望の明るさにすることが可能となる。照明装置は、病院、高齢化福祉施設や学校用として採用することも可能である。例えば、病院にかかる照明装置を採用した場合には、看護士が特定の患者に検温時間や投薬の時間を知らせることができる。
【図面の簡単な説明】
【００２４】
【図１】本発明の実施形態を示す斜視図である。
【図２】同多点光源ユニットの正面図である。
【図３】本発明の他の実施形態を示す斜視図である。
【図４】同使用例を示す概略平面図である。
【符号の説明】
【００２５】
１  照明装置
２  多点光源ユニット
５  基板
２０  ＬＥＤ（発光素子）
３０学習スタンド（照明装置）
【図１】
2006286435.tif 000003
【図２】
2006286435.tif 000004
【図３】
2006286435.tif 000005
【図４】
2006286435.tif 000006